(57)【要約】【課題】相手側コンタクトとの接触信頼性を高めるための新たな構造を有するコンタクトを備えたコネクタを提供すること。【解決手段】コネクタは、相手側コンタクトを備えた相手側コネクタと嵌合可能である。コネクタは、相手側コネクタと嵌合した嵌合状態において相手側コンタクトと２点で接触するコンタクトを備えている。コンタクトは、第１バネ部と、第１バネ部から突出した突出部と、平坦に延びるスライド部と、第２バネ部とを有している。突出部は、第１接点部を有しており、スライド部は、第２接点部を有している。第１接点部は、第１バネ部の弾性変形によって移動可能であり、第２接点部は、第２バネ部の弾性変形によって移動可能である。コネクタが嵌合開始状態から嵌合状態に移動するとき、第１接点部及び第２接点部のうちの一方は、第１バネ部の弾性変形によって移動しつつ、第２バネ部の弾性変形によって移動する。【選択図】図１８
2015035300.tif 000002
【特許請求の範囲】
【請求項１】
相手側コンタクトを備えた相手側コネクタと嵌合方向に沿って嵌合可能なコネクタであって、前記相手側コネクタと嵌合した嵌合状態において前記相手側コンタクトと２点で接触するコンタクトを備えており、
前記コンタクトは、突出部と、第１バネ部と、スライド部と、第２バネ部とを有しており、
前記突出部は、前記第１バネ部から突出しており、且つ、第１接点部を有しており、
前記第１接点部は、前記第１バネ部の弾性変形によって、前記嵌合方向と直交する所定方向において移動量を有するように移動可能であり、前記嵌合状態において前記相手側コンタクトと接触し、
前記スライド部は、平坦に延びており、且つ、第２接点部を有しており、
前記第２接点部は、前記第２バネ部の弾性変形によって、前記所定方向において移動量を有するように移動可能であり、
前記コネクタが前記相手側コネクタと嵌合し始めた嵌合開始状態から前記嵌合状態に移動するまでの間、前記相手側コンタクトの一部である相手側接点部が前記スライド部上を移動し、前記嵌合状態においては、前記相手側接点部が前記第２接点部に到達し、
前記コネクタが前記嵌合開始状態から前記嵌合状態に移動するとき、前記第１接点部及び前記第２接点部のうちの一方は、前記第１バネ部の弾性変形によって前記所定方向において移動しつつ、前記第２バネ部の弾性変形によって前記所定方向において移動する
コネクタ。
【請求項２】
請求項１記載のコネクタであって、
前記コネクタが前記嵌合開始状態から前記嵌合状態に移動するとき、前記第１接点部は、前記第１バネ部の前記弾性変形によって前記所定方向において第１の距離だけ移動し、前記第２接点部は、前記第２バネ部の前記弾性変形によって前記所定方向において第２の距離だけ移動し、
前記第２の距離は前記第１の距離よりも大きい
コネクタ。
【請求項３】
請求項１記載のコネクタであって、
前記コネクタが前記嵌合開始状態から前記嵌合状態に移動するとき、前記第１接点部は、前記第１バネ部の前記弾性変形によって前記所定方向において第１の距離だけ移動し、前記第２接点部は、前記第２バネ部の前記弾性変形によって前記所定方向において第２の距離だけ移動し、
前記第１の距離は前記第２の距離よりも大きい
コネクタ。
【請求項４】
請求項１乃至請求項３のいずれかに記載のコネクタであって、
前記第１接点部は、前記所定方向において前記第２接点部と異なる位置にあり、
前記コネクタを前記嵌合方向に沿って見たとき、前記第１接点部及び前記第２接点部を視認可能である
コネクタ。
【請求項５】
請求項１乃至請求項４のいずれかに記載のコネクタであって、
前記コネクタが前記嵌合開始状態から前記嵌合状態に移動するまでの間、前記スライド部の一部は、前記相手側接点部から接触力を受け続けており、前記嵌合状態においては、前記スライド部の前記第２接点部が前記接触力を受け、
前記嵌合状態における前記接触力の方向は、前記嵌合開始状態における前記接触力の方向と異なっている
コネクタ。
【請求項６】
請求項５記載のコネクタであって、
前記嵌合状態における前記接触力の方向は、前記嵌合方向と直交している
コネクタ。
【請求項７】
請求項１乃至請求項４のいずれかに記載のコネクタであって、
前記嵌合状態において、前記第１接点部は前記相手側コンタクトから第１接触力を受けており、前記第２接点部は前記相手側コンタクトから第２接触力を受けており、
前記第１接触力及び前記第２接触力の方向は、前記嵌合方向と直交している
コネクタ。
【請求項８】
請求項１乃至請求項７のいずれかに記載のコネクタであって、
前記コンタクトは、１枚の金属板を打ち抜いて形成されている
コネクタ。
【請求項９】
相手側コンタクトを備えた相手側コネクタと嵌合方向に沿って嵌合可能なコネクタであって、前記相手側コネクタと嵌合した嵌合状態において前記相手側コンタクトと２点で接触するコンタクトを備えており、
前記コンタクトは、第１バネ部と、第２バネ部とを有しており、
前記第２バネ部は、第１曲げ部と、スライド部と、第２曲げ部とを有しており、
前記スライド部は、平坦に延びており、
前記第１曲げ部は、前記スライド部の一方の端部から前記スライド部と交差するように延びており、且つ、第１接点部を有しており、
前記第２曲げ部は、前記スライド部の他方の端部から前記スライド部と交差するように延びており、且つ、第２接点部を有しており、
前記第１接点部は、前記第１バネ部の弾性変形によって、前記嵌合方向と直交する所定方向において移動量を有するように移動可能であり、前記嵌合状態において前記相手側コンタクトと接触して前記相手側コンタクトから前記嵌合状態を維持するように働く接触力を受けており、
前記第２接点部は、前記第２バネ部の弾性変形によって、前記所定方向において移動量を有するように移動可能であり、前記嵌合状態において前記相手側コンタクトと接触して前記相手側コンタクトから前記嵌合状態を維持するように働く他の接触力を受けており、
前記コネクタが前記相手側コネクタと嵌合し始めた嵌合開始状態から前記嵌合状態に移動するとき、前記第２接点部は、前記第１バネ部の弾性変形によって前記所定方向において移動しつつ、前記第２バネ部の弾性変形によって前記所定方向において移動する
コネクタ。
【発明の詳細な説明】
【技術分野】
【０００１】
本発明は、相手側コンタクトを備えた相手側コネクタと嵌合可能なコネクタであって、相手側コンタクトと２点で接触するコンタクトを備えたコネクタに関する。
【背景技術】
【０００２】
このタイプのコネクタは、例えば特許文献１及び特許文献２に開示されている。
【０００３】
図２４に示されるように、特許文献１の第１コネクタ（コネクタ）は、コンタクト（相手側コンタクト）を備えた第２コネクタ（相手側コネクタ）と嵌合方向に沿って嵌合可能である。相手側コンタクトは、２つの接触部（相手側第１接点部及び相手側第２接点部）を有している。第１コネクタは、コンタクトを備えている。第１コネクタのコンタクトは、２つの接触部（第１接点部及び第２接点部）を有している。第１コネクタと第２コネクタとが互いに嵌合した嵌合状態において、第１接点部は相手側第２接点部と接触し、第２接点部は相手側第１接点部と接触する。
【０００４】
図２５に示されるように、特許文献２の第２のコネクタ（コネクタ）は、第１のコンタクト（相手側コンタクト）を備えた第１のコネクタ（相手側コネクタ）と嵌合方向に沿って嵌合可能である。第２のコネクタは、フローティングコネクタである。詳しくは、第２のコネクタは、筒状部と、嵌合部と、第１のコンタクトと２点で接触する第２のコンタクト（コンタクト）とを備えている。嵌合部は嵌合方向と直交する面内において移動可能となるように筒状部に支持されている。第２のコンタクトは、嵌合部に保持されている。
【先行技術文献】
【特許文献】
【０００５】
【特許文献１】実開昭６３−６１７７４号公報
【特許文献２】特開２０１０−２７２３２０号公報（第２実施形態）
【発明の概要】
【発明が解決しようとする課題】
【０００６】
特許文献１の第１コネクタの第１接点部は、実質的に移動しないように支持されている一方、第２コネクタの相手側第２接点部は、嵌合方向と直交する上下方向に移動可能となるように弾性支持されている。第１コネクタが、第２コネクタに対して相対的に上方に移動した場合、第１接点部と相手側第２接点部との間の接触力が弱まるおそれがある。同様に、第１コネクタが、第２コネクタに対して相対的に下方に移動した場合、第２接点部と相手側第１接点部との間の接触力が弱まるおそれがある。即ち、特許文献１の構造によれば、コンタクト間の接触信頼性が低下するおそれがある。
【０００７】
特許文献２のコンタクトは、嵌合部の筒状部に対する相対的な移動によって移動する。このとき、コンタクトと相手側コンタクトとの間の接触信頼性が低下するおそれがある。
【０００８】
そこで、本発明は、相手側コンタクトと２点で接触するコンタクトであって、相手側コンタクトとの接触信頼性を高めるための新たな構造を有するコンタクトを備えたコネクタを提供することを目的とする。
【課題を解決するための手段】
【０００９】
本発明は、第１のコネクタとして、
相手側コンタクトを備えた相手側コネクタと嵌合方向に沿って嵌合可能なコネクタであって、前記相手側コネクタと嵌合した嵌合状態において前記相手側コンタクトと２点で接触するコンタクトを備えており、
前記コンタクトは、突出部と、第１バネ部と、スライド部と、第２バネ部とを有しており、
前記突出部は、前記第１バネ部から突出しており、且つ、第１接点部を有しており、
前記第１接点部は、前記第１バネ部の弾性変形によって、前記嵌合方向と直交する所定方向において移動量を有するように移動可能であり、前記嵌合状態において前記相手側コンタクトと接触し、
前記スライド部は、平坦に延びており、且つ、第２接点部を有しており、
前記第２接点部は、前記第２バネ部の弾性変形によって、前記所定方向において移動量を有するように移動可能であり、
前記コネクタが前記相手側コネクタと嵌合し始めた嵌合開始状態から前記嵌合状態に移動するまでの間、前記相手側コンタクトの一部である相手側接点部が前記スライド部上を移動し、前記嵌合状態においては、前記相手側接点部が前記第２接点部に到達し、
前記コネクタが前記嵌合開始状態から前記嵌合状態に移動するとき、前記第１接点部及び前記第２接点部のうちの一方は、前記第１バネ部の弾性変形によって前記所定方向において移動しつつ、前記第２バネ部の弾性変形によって前記所定方向において移動する
コネクタを提供する。
【００１０】
また、本発明は、第２のコネクタとして、第１のコネクタであって、
前記コネクタが前記嵌合開始状態から前記嵌合状態に移動するとき、前記第１接点部は、前記第１バネ部の前記弾性変形によって前記所定方向において第１の距離だけ移動し、前記第２接点部は、前記第２バネ部の前記弾性変形によって前記所定方向において第２の距離だけ移動し、
前記第２の距離は前記第１の距離よりも大きい
コネクタを提供する。
【００１１】
また、本発明は、第３のコネクタとして、第１のコネクタであって、
前記コネクタが前記嵌合開始状態から前記嵌合状態に移動するとき、前記第１接点部は、前記第１バネ部の前記弾性変形によって前記所定方向において第１の距離だけ移動し、前記第２接点部は、前記第２バネ部の前記弾性変形によって前記所定方向において第２の距離だけ移動し、
前記第１の距離は前記第２の距離よりも大きい
コネクタを提供する。
【００１２】
また、本発明は、第４のコネクタとして、第１乃至第３のコネクタのいずれかであって、
前記第１接点部は、前記所定方向において前記第２接点部と異なる位置にあり、
前記コネクタを前記嵌合方向に沿って見たとき、前記第１接点部及び前記第２接点部を視認可能である
コネクタを提供する。
【００１３】
また、本発明は、第５のコネクタとして、第１乃至第４のコネクタのいずれかであって、
前記コネクタが前記嵌合開始状態から前記嵌合状態に移動するまでの間、前記スライド部の一部は、前記相手側接点部から接触力を受け続けており、前記嵌合状態においては、前記スライド部の前記第２接点部が前記接触力を受け、
前記嵌合状態における前記接触力の方向は、前記嵌合開始状態における前記接触力の方向と異なっている
コネクタを提供する。
【００１４】
また、本発明は、第６のコネクタとして、第５のコネクタであって、
前記嵌合状態における前記接触力の方向は、前記嵌合方向と直交している
コネクタを提供する。
【００１５】
また、本発明は、第７のコネクタとして、第１乃至第４のコネクタのいずれかであって、
前記嵌合状態において、前記第１接点部は前記相手側コンタクトから第１接触力を受けており、前記第２接点部は前記相手側コンタクトから第２接触力を受けており、
前記第１接触力及び前記第２接触力の方向は、前記嵌合方向と直交している
コネクタを提供する。
【００１６】
また、本発明は、第８のコネクタとして、第１乃至第７のコネクタのいずれかであって、
前記コンタクトは、１枚の金属板を打ち抜いて形成されている
コネクタを提供する。
【００１７】
また、本発明は、第９のコネクタとして、
相手側コンタクトを備えた相手側コネクタと嵌合方向に沿って嵌合可能なコネクタであって、前記相手側コネクタと嵌合した嵌合状態において前記相手側コンタクトと２点で接触するコンタクトを備えており、
前記コンタクトは、第１バネ部と、第２バネ部とを有しており、
前記第２バネ部は、第１曲げ部と、スライド部と、第２曲げ部とを有しており、
前記スライド部は、平坦に延びており、
前記第１曲げ部は、前記スライド部の一方の端部から前記スライド部と交差するように延びており、且つ、第１接点部を有しており、
前記第２曲げ部は、前記スライド部の他方の端部から前記スライド部と交差するように延びており、且つ、第２接点部を有しており、
前記第１接点部は、前記第１バネ部の弾性変形によって、前記嵌合方向と直交する所定方向において移動量を有するように移動可能であり、前記嵌合状態において前記相手側コンタクトと接触して前記相手側コンタクトから前記嵌合状態を維持するように働く接触力を受けており、
前記第２接点部は、前記第２バネ部の弾性変形によって、前記所定方向において移動量を有するように移動可能であり、前記嵌合状態において前記相手側コンタクトと接触して前記相手側コンタクトから前記嵌合状態を維持するように働く他の接触力を受けており、
前記コネクタが前記相手側コネクタと嵌合し始めた嵌合開始状態から前記嵌合状態に移動するとき、前記第２接点部は、前記第１バネ部の弾性変形によって前記所定方向において移動しつつ、前記第２バネ部の弾性変形によって前記所定方向において移動する
コネクタを提供する。
【発明の効果】
【００１８】
本発明によるコンタクトは、第１接点部と第２接点部の２つの接点部で相手側コンタクトと接触する。第１接点部及び第２接点部のうちの一方は、第１バネ部及び第２バネ部の双方の弾性変形によって所定方向において移動する。このため、相手側コンタクトとの接触信頼性を高めることができる。
【図面の簡単な説明】
【００１９】
【図１】本発明の第１の実施の形態によるコネクタと相手側コネクタとを示す斜視図である。ここで、コネクタ及び相手側コネクタは、互いに嵌合していない未嵌合状態にある。
【図２】図１のコネクタと相手側コネクタとを示す斜視図である。ここで、コネクタ及び相手側コネクタは、互いに嵌合した嵌合状態にある。
【図３】図２のコネクタと相手側コネクタとをＩＩＩ−ＩＩＩ線に沿って一部切欠いて示す斜視断面図である。
【図４】図３のコネクタ及び相手側コネクタのうちのコネクタのみを示す斜視断面図である。ここで、コネクタは未嵌合状態にある。
【図５】図４のコネクタを示す断面図である。
【図６】図１のコネクタを示す斜視図である。
【図７】図６のコネクタを示す分解斜視図である。
【図８】図７のコネクタのコンタクトを示す斜視図である。
【図９】図３のコネクタ及び相手側コネクタのうちの相手側コネクタのみを示す斜視断面図である。ここで、相手側コネクタは未嵌合状態にある。
【図１０】図９の相手側コネクタを示す断面図である。
【図１１】図１の相手側コネクタを上下に逆さまにして示す斜視図である。
【図１２】図１１の相手側コネクタを示す分解斜視図である。
【図１３】図１２の相手側コネクタの相手側コンタクトを示す斜視図である。
【図１４】図５のコネクタと図１０の相手側コネクタとを示す断面図である。ここで、コネクタ及び相手側コネクタは、未嵌合状態にある。
【図１５】図１４のコネクタと相手側コネクタとを示す断面図である。ここで、コネクタ及び相手側コネクタは、嵌合開始状態にある。
【図１６】図１４のコネクタと相手側コネクタとを示す断面図である。ここで、コネクタ及び相手側コネクタは、嵌合状態にある。
【図１７】図８のコンタクトの主部と図１３の相手側コンタクトの主部とを嵌合開始状態において示す側面図である。
【図１８】図１７のコンタクトの主部と相手側コンタクトの主部とを嵌合状態において示す側面図である。ここで、未嵌合状態におけるコンタクトの主部の形状を１点鎖線で描画している。
【図１９】図１８のコンタクトの主部及び相手側コンタクトの主部の変形例を示す側面図である。
【図２０】本発明の第２の実施の形態によるコネクタと相手側コネクタとを示す断面図である。ここで、コネクタ及び相手側コネクタは、互いに嵌合していない未嵌合状態にある。
【図２１】図２０のコネクタと相手側コネクタとを示す断面図である。ここで、コネクタ及び相手側コネクタは、嵌合開始状態にある。
【図２２】図２０のコネクタと相手側コネクタとを示す断面図である。ここで、コネクタ及び相手側コネクタは、互いに嵌合した嵌合状態にある。
【図２３】図２２のコネクタのコンタクトと相手側コネクタの相手側コンタクトとの接触部分を主として示す側面図である。ここで、未嵌合状態におけるコンタクトの形状を１点鎖線で描画している。また、嵌合状態において仮にコンタクトの第１バネ部が弾性変形しない場合のコンタクトの形状を２点鎖線で描画している。
【図２４】特許文献１のコネクタと相手側コネクタとを示す断面図である。
【図２５】特許文献２のコネクタと相手側コネクタとを示す斜視断面図である。
【発明を実施するための形態】
【００２０】
（第１の実施の形態）
図１及び図２に示されるように、本実施の形態によるコネクタ１０は、相手側コネクタ８０と嵌合方向（Ｚ方向）に沿って嵌合可能であり、且つ、電気的に接続可能である。本実施の形態によるコネクタ１０及び相手側コネクタ８０は、回路基板（図示せず）に夫々搭載される基板コネクタである。但し、本発明は、基板コネクタ以外のコネクタにも適用可能である。
【００２１】
図１、図６及び図７に示されるように、コネクタ１０は、絶縁性材料からなる第１ハウジング（ハウジング）２００と、絶縁性材料からなる第２ハウジング（ハウジング）３００と、導電性材料からなる複数のコンタクト５００と、金属製の２つの固定部材６００とを備えている。
【００２２】
図７に示されるように、第１ハウジング２００は、外壁部２１０と、孔部２３０とを有している。孔部２３０は、第１ハウジング２００をＺ方向に貫通しており、ピッチ方向（Ｙ方向）に長く延びている。孔部２３０は、２つの支持部２３２を有している。支持部２３２は、孔部２３０のＹ方向における両端部に位置している。外壁部２１０は、ＸＹ平面において孔部２３０を囲んでいる。外壁部２１０は、Ｙ方向に長く延びる２つの側壁部２２０を有している。側壁部２２０は、孔部２３０に面した内面２２０Ｓを夫々有している。側壁部２２０の夫々には、複数の溝部２２２が形成されている。溝部２２２の夫々は、側壁部２２０の内面２２０Ｓの一部を幅方向（Ｘ方向）外側に凹ませるようにして形成されている。
【００２３】
図４、図５及び図７に示されるように、溝部２２２は、Ｚ方向において側壁部２２０の上端（＋Ｚ側の端）から下端（−Ｚ側の端）まで延びている。溝部２２２には、コンタクト５００の一部を圧入可能な第１保持部２２４が形成されている（図５参照）。
【００２４】
図７に示されるように、第２ハウジング３００は、外壁部３１０と、凹部３２０と、凸部３３０と、２つの被支持部３４０とを有している。凹部３２０は、−Ｚ方向に凹んだ凹みである。外壁部３１０は、凹部３２０を囲んでいる。凹部３２０は、ＸＹ平面において凸部３３０を囲んでいる。凸部３３０は、Ｙ方向に長く延び、＋Ｚ方向に突出している。凸部３３０は、孔部２３０に面した２つの側面３３０Ｓを有している。側面３３０Ｓの夫々には、複数の溝部３３２が形成されている。溝部３３２の夫々は、側面３３０Ｓの一部をＸ方向内側に凹ませるようにして形成されている。
【００２５】
図５に示されるように、凸部３３０は、中間壁３３６を有している。中間壁３３６は、Ｘ方向において凸部３３０の中間に位置しており、Ｙ方向に長く延びている。溝部３３２は、Ｘ方向において側面３３０Ｓから中間壁３３６まで凹んでいる。
【００２６】
図４、図５及び図７に示されるように、溝部３３２は、Ｚ方向において凸部３３０の上端から下端まで延びている。溝部３３２には、コンタクト５００の一部を圧入可能な第２保持部３３４が形成されている（図５参照）。第２保持部３３４は、溝部３３２の下端部分、且つ、中間壁３３６の近傍に位置している。
【００２７】
図７から理解されるように、被支持部３４０の夫々は、外壁部３１０の下端から下方に（−Ｚ方向に）延びている。図６及び図７から理解されるように、被支持部３４０は、ＸＹ平面において多少移動できる程度の間隔をあけて第１ハウジング２００に挿入されている。詳しくは、被支持部３４０は、第２ハウジング３００の第１ハウジング２００に対する相対的な移動を許容するようにして、孔部２３０の支持部２３２に夫々部分的に受容されている。
【００２８】
図６及び図７から理解されるように、固定部材６００は、第１ハウジング２００の外壁部２１０のＹ方向における両端部分に夫々取り付けられている。固定部材６００は、コネクタ１０が回路基板（図示せず）に搭載されるとき、回路基板に半田付け等により固定される。
【００２９】
図６及び図７に示されるように、本実施の形態によるコンタクト５００は、Ｙ方向（ピッチ方向）に夫々延びる２つの列に配置されている。本実施の形態によれば、各列には、複数のコンタクト５００が配置されている。
【００３０】
図８に示されるように、一方の列のコンタクト５００は、他方の列のコンタクト５００をＺ方向と平行な軸を中心に１８０°回転させた形状を有している。本実施の形態によるコンタクト５００は、１枚の金属板（図示せず）から打ち抜いた中間金属板（図示せず）をＹ方向と平行な軸を中心に折り曲げて形成されている。
【００３１】
図５及び図８に示されるように、コンタクト５００の夫々は、端子部５１０と、第１被保持部５２０と、連結部５３０と、第２被保持部５４０と、主部５５０とを有している。端子部５１０は、コネクタ１０が回路基板（図示せず）に搭載されるとき、回路基板の信号パターン（図示せず）に接続される。第１被保持部５２０は、端子部５１０から上方に（＋Ｚ方向に）延びている。第１被保持部５２０は、第１ハウジング２００の第１保持部２２４に圧入されて保持されている。連結部５３０は、第１被保持部５２０と第２被保持部５４０とを連結している。第２被保持部５４０は、連結部５３０から上方に延びている。第２被保持部５４０は、第２ハウジング３００の第２保持部３３４に圧入されて保持されている。主部５５０は、第２被保持部５４０から延びて、第２被保持部５４０の上方に位置している。
【００３２】
図５から理解されるように、コンタクト５００は、第１保持部２２４において第１ハウジング２００に固定されており、第２保持部３３４において第２ハウジング３００に固定されている。このため、第２ハウジング３００は、コンタクト５００に支持されて、Ｚ方向及びＸＹ平面において多少移動することができる。また、コンタクト５００の主部５５０は、第２ハウジング３００の移動に追随して移動する。即ち、本実施の形態によるコネクタ１０は、フローティングコネクタである。但し、コネクタ１０は、フローティングコネクタでなくてもよい。連結部５３０は、第１被保持部５２０と第２被保持部５４０との間を上下に（Ｚ方向において）屈曲しつつ延びている。このため、第２ハウジング３００が第１ハウジング２００に対して相対的に移動した場合でも、連結部５３０が弾性変形して、第１被保持部５２０及び第２被保持部５４０が過度な力を受けることを防止する。
【００３３】
図８に示されるように、コンタクト５００の主部５５０は、第１バネ部５６０と、突出部５７０と、第２バネ部５８０とを有している。第１バネ部５６０及び第２バネ部５８０の夫々は、ＸＺ平面において弾性変形可能である。詳しくは、第１バネ部５６０及び第２バネ部５８０の夫々は、Ｘ方向に弾性変形可能である。本実施の形態による突出部５７０は、第１バネ部５６０と第２バネ部５８０との境界部分に形成されている。突出部５７０は、第１バネ部５６０及び第２バネ部５８０の夫々から突出している。
【００３４】
図５及び図８に示されるように、本実施の形態による第１バネ部５６０は、第１傾斜部５６２と第２傾斜部５６４とから構成されている。第１傾斜部５６２は、溝部３３２の内部を、中間壁３３６から離れつつ上方に延びている。第２傾斜部５６４は、中間壁３３６から更に離れつつ第１傾斜部５６２と交差する方向に延びている。
【００３５】
本実施の形態による第２バネ部５８０は、凹部３２０の内部を、外壁部３１０に接近しつつ下方に延びている。本実施の形態による第２バネ部５８０は、第１曲げ部５８２と、スライド部５８４と、第２曲げ部５８８とから構成されている。即ち、本実施の形態によるコンタクト５００は、第２バネ部５８０の一部としてスライド部５８４を有している。第１曲げ部５８２は、下方に延びている。スライド部５８４は、第１曲げ部５８２から、外壁部３１０に接近しつつ下方に延びている。即ち、スライド部５８４は、Ｘ方向及びＺ方向の双方と交差する方向に長く延びている。第２曲げ部５８８は、スライド部５８４から、下方に延びている。即ち、第１曲げ部５８２は、スライド部５８４の一方の端部からスライド部５８４と交差するように延びており、第２曲げ部５８８は、スライド部５８４の他方の端部からスライド部５８４と交差するように延びている。
【００３６】
本実施の形態によるスライド部５８４は、Ｘ方向及びＺ方向の双方と直交する平面上を直線的に延びる狭く長い平面である（図８参照）。但し、スライド部５８４は、緩やかに曲がりつつ延びていてもよい。即ち、スライド部５８４は、概ね平坦に延びていればよい。
【００３７】
図８に示されるように、突出部５７０は、第１接点部（接点部）５７２を有しており、スライド部５８４は、第２接点部（接点部）５８６を有している。第１接点部５７２は、Ｘ方向において第２接点部５８６と異なる位置にある。本実施の形態によれば、突出部５７０は、第１バネ部５６０によって弾性的に支持されている。このため、第１接点部５７２は、第１バネ部５６０の弾性変形によって、Ｘ方向において移動量を有するように移動可能である。また、本実施の形態によれば、第２接点部５８６は、スライド部５８４の平面の一部であり、スライド部５８４は、第２バネ部５８０の一部である。このため、第２接点部５８６は、第２バネ部５８０の弾性変形によって、Ｘ方向において移動量を有するように移動可能である。更に、本実施の形態による第２接点部５８６は、第１バネ部５６０の弾性変形によっても、Ｘ方向において移動量を有するように移動可能である。
【００３８】
前述したように、突出部５７０は、第１バネ部５６０と第２バネ部５８０の間に位置している。但し、観点を変えれば、第１バネ部５６０の第２傾斜部５６４と第２バネ部５８０の第１曲げ部５８２とが突出部５７０を構成していると考えてもよい。即ち、突出部５７０は、第１バネ部５６０の一部と第２バネ部５８０の一部とから構成されていてもよい。いずれの観点によっても、第１接点部５７２は、第１バネ部５６０及び第２バネ部５８０から突出している。
【００３９】
図９乃至図１２に示されるように、相手側コネクタ８０は、絶縁性材料からなる相手側ハウジング８１０と、導電性材料からなる複数の相手側コンタクト８３０とを備えている。相手側コネクタ８０は、−Ｚ方向に開口しＹ方向に長く延びる受容部８２を有している。
【００４０】
図９、図１１及び図１２に示されるように、相手側ハウジング８１０は、外壁部８１２を有している。外壁部８１２は、Ｙ方向に長く延びる２つの側壁部８１４を有している。側壁部８１４の夫々は、受容部８２に面した内面８１４Ｓを有している。側壁部８１４の夫々には、複数の溝部８１６が形成されている。溝部８１６の夫々は、側壁部８１４の内面８１４Ｓの一部をＸ方向外側に凹ませるようにして形成されている。
【００４１】
図９及び図１０に示されるように、溝部８１６は、Ｚ方向において側壁部８１４の＋Ｚ側の端から側壁部８１４のＺ方向における中間部分まで延びている。溝部８１６には、相手側コンタクト８３０の一部を圧入可能な第１保持部８１８が形成されている（図１０参照）。
【００４２】
図１０乃至図１２に示されるように、相手側ハウジング８１０には、複数の仕切り壁８２０が設けられている。仕切り壁８２０の夫々は、ＸＺ平面と平行に延びている。詳しくは、仕切り壁８２０は、側壁部８１４の２つの内面８１４Ｓから、Ｘ方向の内側に向かって張り出しており、相手側ハウジング８１０のＺ方向における中間部分において２つの内面８１４Ｓを連結している（図１０参照）。
【００４３】
相手側ハウジング８１０には、複数のスリット８２２が形成されている。スリット８２２の夫々は、Ｙ方向において２つの仕切り壁８２０の間に位置している。スリット８２２の夫々には、相手側コンタクト８３０の一部を圧入可能な２つの第２保持部８２４が形成されている（図１０参照）。第２保持部８２４は、スリット８２２の＋Ｚ側の端部、且つ、側壁部８１４の近傍に位置している。
【００４４】
図９及び図１０に示されるように、スリット８２２の夫々には、分離壁８２６が設けられている。分離壁８２６は、スリット８２２のＸ方向における中間部分に形成されている。分離壁８２６は、スリット８２２を２つに分離するようにしてＺ方向に延びている。
【００４５】
図１０乃至図１２に示されるように、受容部８２は、ＸＹ平面において外壁部８１２及び複数の仕切り壁８２０に囲まれている。図３に示されるように、コネクタ１０と相手側コネクタ８０とが互いに嵌合した嵌合状態において、外壁部８１２及び仕切り壁８２０の−Ｚ側は、コネクタ１０の凹部３２０に挿入され、受容部８２は、コネクタ１０の凸部３３０を受容する。このとき、コンタクト５００は、相手側コンタクト８３０と夫々接触して電気的に接続される。
【００４６】
図１１及び図１２に示されるように、本実施の形態による相手側コンタクト８３０は、Ｙ方向に夫々延びる２つの列に配置されている。本実施の形態によれば、各列には、複数の相手側コンタクト８３０が配置されている。
【００４７】
図１３に示されるように、一方の列の相手側コンタクト８３０は、他方の列の相手側コンタクト８３０をＺ方向と平行な軸を中心に１８０°回転させた形状を有している。本実施の形態による相手側コンタクト８３０は、１枚の金属板（図示せず）から打ち抜いた中間金属板（図示せず）をＹ方向と平行な軸を中心に折り曲げて形成されている。
【００４８】
図１０及び図１３に示されるように、相手側コンタクト８３０の夫々は、端子部８３２と、第１被保持部８３４と、連結部８３６と、第２被保持部８３８と、主部８４０とを有している。端子部８３２は、相手側コネクタ８０が回路基板（図示せず）に搭載されるとき、信号パターン（図示せず）に接続される。第１被保持部８３４は、端子部８３２から−Ｚ方向に延びている。第１被保持部８３４は、相手側ハウジング８１０の第１保持部８１８に圧入されて保持されている。連結部８３６は、第１被保持部８３４と第２被保持部８３８とを連結している。第２被保持部８３８は、連結部８３６から−Ｚ方向に延びている。第２被保持部８３８は、相手側ハウジング８１０の第２保持部８２４に圧入されて保持されている。主部８４０は、第２被保持部８３８から−Ｚ方向に更に延びている。
【００４９】
図８及び図１３から理解されるように、本実施の形態によれば、コンタクト５００の主部５５０と接触する部位である相手側コンタクト８３０の主部８４０は、コンタクト５００の主部５５０と同じ形状及びサイズを有している。このため、主部８４０は、主部５５０と同様に弾性変形可能である。
【００５０】
詳しくは、図１３に示されるように、相手側コンタクト８３０の主部８４０は、第１バネ部８４２と、突出部８４４と、第２バネ部８５０とを有している。第１バネ部８４２及び第２バネ部８５０の夫々は、ＸＺ平面において弾性変形可能である。詳しくは、第１バネ部８４２及び第２バネ部８５０の夫々は、Ｘ方向に弾性変形可能である。突出部８４４は、第１バネ部８４２及び第２バネ部８５０の夫々から突出している。
【００５１】
第２バネ部８５０は、コンタクト５００の第２バネ部５８０（図８参照）と同様に、第１曲げ部８５２と、スライド部８５４と、第２曲げ部８５８とから構成されている。即ち、スライド部８５４は、コンタクト５００のスライド部５８４（図８参照）と同様に、平坦に長く延びている。また、第１曲げ部８５２は、スライド部８５４の一方の端部からスライド部８５４と交差するように延びており、第２曲げ部８５８は、スライド部８５４の他方の端部からスライド部８５４と交差するように延びている。
【００５２】
図１０に示されるように、第１バネ部８４２は、スリット８２２の内部を、側壁部８１４の内面８１４Ｓから離れつつ下方（−Ｚ方向）に延びている。また、本実施の形態による第２バネ部８５０は、スリット８２２から受容部８２に突出して、分離壁８２６に接近しつつ上方（＋Ｚ方向）に延びている。第２バネ部８５０の第２曲げ部８５８は、分離壁８２６と接触している。
【００５３】
図１３に示されるように、突出部８４４は、相手側第１接点部（相手側接点部）８４６を有しており、スライド部８５４は、相手側第２接点部（相手側接点部）８５６を有している。相手側第１接点部８４６は、Ｘ方向において相手側第２接点部８５６と異なる位置にある。相手側第１接点部８４６は、第１バネ部８４２の弾性変形によって、Ｘ方向において移動量を有するように移動可能である。また、相手側第２接点部８５６は、第２バネ部８５０の弾性変形によって、Ｘ方向において移動量を有するように移動可能である。更に、相手側第２接点部８５６は、第１バネ部８４２の弾性変形によっても、Ｘ方向において移動量を有するように移動可能である。
【００５４】
図１４及び図１５に示されるように、コネクタ１０と相手側コネクタ８０とを嵌合する場合、相手側コネクタ８０は、受容部８２が下方に開口した状態で、コネクタ１０の上方に配置される。コネクタ１０を−Ｚ方向に沿って見たとき、コンタクト５００の第１接点部５７２及び第２接点部５８６を視認可能である。また、第１接点部５７２は、相手側コンタクト８３０の相手側第１接点部８４６と、Ｘ方向において異なる位置にある。このため、コネクタ１０と相手側コネクタ８０とを嵌合する際、第１接点部５７２と相手側第１接点部８４６とは、互いに衝突しない。即ち、第１接点部５７２及び相手側第１接点部８４６の損傷を防止しつつ、第１接点部５７２及び相手側第１接点部８４６を、スライド部８５４及びスライド部５８４に夫々接触させることができる（図１５参照）。
【００５５】
図１５に示されるように、コネクタ１０が相手側コネクタ８０と嵌合し始めた嵌合開始状態において、コンタクト５００の第１接点部５７２は、相手側コンタクト８３０のスライド部８５４の一部と接触している。このとき、相手側コンタクト８３０の相手側第１接点部８４６は、コンタクト５００のスライド部５８４の一部と接触している。即ち、嵌合開始状態において、コンタクト５００は、相手側コンタクト８３０と２点で接触している。
【００５６】
図１７に示されるように、嵌合開始状態において、コンタクト５００の第１接点部５７２は、相手側コンタクト８３０のスライド部８５４から接触力（ＦＳ１）を受けている。また、コンタクト５００のスライド部５８４の一部は、相手側コンタクト８３０の相手側第１接点部８４６から接触力（ＦＳ２）を受けている。接触力（ＦＳ１）及び接触力（ＦＳ２）の夫々は、Ｘ方向外側及び下方に向かっている。
【００５７】
図１５及び図１６から理解されるように、コネクタ１０が嵌合開始状態（図１５参照）から嵌合状態（図１６参照）に移動するとき、コンタクト５００の第１バネ部５６０は、中間壁３３６に向かって弾性変形する。第１接点部５７２及び第２接点部５８６は、第１バネ部５６０の弾性変形によってＸ方向において中間壁３３６に向かって移動する。このとき、第２バネ部５８０も、中間壁３３６に向かって弾性変形する。この結果、第２接点部５８６は、第１バネ部５６０の弾性変形によってＸ方向において移動しつつ、第２バネ部５８０の弾性変形によってＸ方向において移動する。このとき、相手側コンタクト８３０の相手側第１接点部８４６は、第１バネ部８４２の弾性変形によってＸ方向において側壁部８１４に向かって移動する。また、相手側第２接点部８５６は、第１バネ部８４２の弾性変形と第２バネ部８５０の弾性変形とによって、Ｘ方向において側壁部８１４に向かって移動する。
【００５８】
嵌合開始状態から嵌合状態に移動するまでの間、相手側第１接点部８４６がスライド部５８４上を長く移動し、第１接点部５７２がスライド部８５４上を長く移動する。嵌合状態においては、相手側第１接点部８４６が第２接点部５８６に到達して、第１接点部５７２が相手側第２接点部８５６に到達する。換言すれば、嵌合状態において、第１接点部５７２及び第２接点部５８６は、相手側第２接点部８５６及び相手側第１接点部８４６と夫々接触する。即ち、コンタクト５００は、嵌合状態においても相手側コンタクト８３０と２点で接触する。
【００５９】
図１８に示されるように、コネクタ１０が嵌合開始状態から嵌合状態に移動するとき、第１接点部５７２は、第１バネ部５６０の弾性変形によってＸ方向において第１の距離（Ｄ１）だけ移動する。このとき、第２接点部５８６は、第１バネ部５６０の弾性変形と第２バネ部５８０の弾性変形によってＸ方向において第１の距離（Ｄ１）＋第２の距離（Ｄ２）だけ移動する。即ち、第２接点部５８６は、第２バネ部５８０の弾性変形によっては、第２の距離（Ｄ２）だけ移動する。第１バネ部５６０は、嵌合状態において比較的大きな接触力を発揮するが、嵌合時に殆ど弾性変形しない。一方、第２バネ部５８０は、嵌合状態において比較的小さな接触力しか発揮しないが、嵌合時に大きく弾性変形する。このため、第２の距離（Ｄ２）は、第１の距離（Ｄ１）よりも大きい。
【００６０】
上述のように、第２接点部５８６は、互いに機能を補完し合う２種類のバネの弾性変形によって移動するように構成されている。このため、第２接点部５８６は、例えば第２ハウジング３００（図３参照）が相手側ハウジング８１０に対してＸ方向において相対的に移動した場合（例えば、嵌合位置がずれて−Ｘ方向又は＋Ｘ方向に片寄った場合）であっても、十分な接触力により、相手側第１接点部８４６との接触を保つ。即ち、第２接点部５８６は、相手側第１接点部８４６と安定的に接触する。また、本実施の形態によれば、相手側第２接点部８５６も、第２接点部５８６と同様に、２種類のバネの弾性変形によって移動するように構成されている。このため、第１接点部５７２は、相手側第２接点部８５６と安定的に接触する。更に、第１接点部５７２又は相手側第１接点部８４６の位置が上下に（Ｚ方向において）多少ずれた場合でも、第１接点部５７２及び第２接点部５８６は、相手側第２接点部８５６及び相手側第１接点部８４６と安定的に夫々接触する。本実施の形態によれば、コンタクト５００と相手側コンタクト８３０との間の接触信頼性を高めることができる。
【００６１】
図１５乃至図１８から理解されるように、コネクタ１０が嵌合開始状態から嵌合状態に移動するまでの間、第１接点部５７２は、相手側コンタクト８３０のスライド部８５４の一部から接触力を受け続けている。本実施の形態によれば、コネクタ１０が嵌合開始状態から嵌合状態に移動するまでの間、接触力の方向は、スライド部８５４の傾きが変わるにつれて変化し続ける。嵌合状態において、第１接点部５７２は、相手側第２接点部８５６から接触力（ＦＥ１）を受ける。嵌合状態における接触力（ＦＥ１）の方向は、嵌合開始状態における接触力（ＦＳ１）の方向と異なっている。
【００６２】
同様に、コネクタ１０が嵌合開始状態から嵌合状態に移動するまでの間、スライド部５８４の一部は、相手側第１接点部８４６から接触力を受け続けている。本実施の形態によれば、コネクタ１０が嵌合開始状態から嵌合状態に移動するまでの間、接触力の方向は、スライド部５８４の傾きが変わるにつれて変化し続ける。嵌合状態においては、スライド部５８４の第２接点部５８６が相手側第１接点部８４６から接触力（ＦＥ２）を受ける。嵌合状態における接触力（ＦＥ２）の方向は、嵌合開始状態における接触力（ＦＳ２）の方向と異なっている。
【００６３】
特に、本実施の形態によれば、嵌合状態における接触力（ＦＥ１）及び接触力（ＦＥ２）の夫々の方向は、Ｚ方向とほぼ直交している。このため、嵌合状態において、相手側コネクタ８０をコネクタ１０から離脱させるような力が殆ど生じない。即ち、本実施の形態によれば、嵌合状態を比較的確実に維持することができる。一方、図１７から理解されるように、相手側コネクタ８０は、接触力による反力を利用して、コネクタ１０から容易に抜去することができる。
【００６４】
嵌合状態における接触力（ＦＥ１）及び接触力（ＦＥ２）の夫々の方向は、Ｚ方向と直交していてもよい。更に、図１９に示されるように、接触力（ＦＥ１）及び接触力（ＦＥ２）の夫々の方向が、Ｘ方向の外側及び上方に向かうように、コンタクト５００及び相手側コンタクト８３０を変形することも可能である。
【００６５】
本変形例によれば、嵌合状態において、第２バネ部５８０の第１曲げ部５８２の一部が、第２バネ部８５０のスライド部８５４と第２曲げ部８５８との境界部分に接触する。このとき、第２バネ部５８０のスライド部５８４と第２曲げ部５８８との境界部分が、第２バネ部８５０の第１曲げ部８５２の一部に接触している。換言すれば、コンタクト５００の第１曲げ部５８２は、第１接点部５７２′を有しており、第２曲げ部５８８は、第２接点部５８６′を有している。同様に、相手側コンタクト８３０の第１曲げ部８５２は、相手側第１接点部（相手側接点部）８４６′を有しており、第２曲げ部８５８は、相手側第２接点部（相手側接点部）８５６′を有している。
【００６６】
第１接点部５７２′は、嵌合状態において相手側コンタクト８３０の相手側第２接点部８５６′と接触して、相手側第２接点部８５６′から嵌合状態を維持するように働く接触力（ＦＥ１′）を受ける。また、第２接点部５８６′は、嵌合状態において相手側コンタクト８３０の相手側第１接点部８４６′と接触して、相手側第１接点部８４６′から嵌合状態を維持するように働く接触力（ＦＥ２′）を受ける。即ち、相手側第１接点部８４６′及び相手側第２接点部８５６′は、第２接点部５８６′及び第１接点部５７２′によって夫々ロックされており、これにより嵌合状態が維持される。
【００６７】
本実施の形態によるコネクタ１０及び相手側コネクタ８０は、上述した変形例に加えて、様々に変形することができる。例えば、相手側コンタクト８３０の主部８４０は、コンタクト５００の主部５５０と異なる形状及びサイズを有していてもよい。より具体的には、相手側コンタクト８３０は、Ｚ方向に沿って直線的に延びるピンコンタクトであってもよい。
【００６８】
（第２の実施の形態）
図２０に示されるように、本発明の第２の実施の形態によるコネクタ１０Ａは、相手側コネクタ８０Ａと嵌合方向（Ｘ方向）に沿って嵌合可能である。
【００６９】
コネクタ１０Ａは、絶縁性材料からなるハウジング４００と、導電性材料からなるコンタクト５００Ａとを備えている。コネクタ１０Ａは、ピッチ方向（Ｙ方向）に並ぶ複数のコンタクト５００Ａを備えていてもよい。コンタクト５００Ａの一部は、ハウジング４００に圧入されており、これによりコンタクト５００Ａは、ハウジング４００に保持されている。
【００７０】
本実施の形態によるコンタクト５００Ａは、１枚の金属板（図示せず）を打ち抜いて形成されている。このため、コンタクト５００Ａは、第１の実施の形態によるコンタクト５００（図８参照）と比較して、より容易に形成できる。
【００７１】
コンタクト５００Ａは、第１バネ部５６０Ａと、突出部５７０Ａと、第２バネ部５８０Ａと、移動部５９０Ａとを有している。第１バネ部５６０Ａは、移動部５９０Ａから突出して、やや下方（−Ｚ方向）に傾斜しつつ＋Ｘ方向に長く延びている。第１バネ部５６０Ａは、ＸＺ平面において（詳しくは、Ｚ方向に）弾性変形可能である。突出部５７０Ａは、第１バネ部５６０Ａの＋Ｘ側の端部に形成されている。突出部５７０Ａは、第１バネ部５６０Ａから上方（＋Ｚ方向）に突出している。第２バネ部５８０Ａは、移動部５９０Ａから＋Ｘ方向に突出した後、下方に延びている。第２バネ部５８０Ａは、ＸＺ平面において（詳しくは、Ｚ方向に）弾性変形可能である。移動部５９０Ａは、第２バネ部５８０Ａの弾性変形によって、ＸＺ面内を移動する（図２２参照）。
【００７２】
コンタクト５００Ａは、スライド部５８４Ａを更に有している。本実施の形態によるスライド部５８４Ａは、第１バネ部５６０Ａの上側の縁と移動部５９０Ａの上側の縁とから構成されている。スライド部５８４Ａは、Ｘ方向と交差する方向に概ね平坦に延びている。
【００７３】
突出部５７０Ａは、第１接点部（接点部）５７２Ａを有しており、スライド部５８４Ａは、第２接点部（接点部）５８６Ａを有している。第１接点部５７２Ａは、突出部５７０Ａの上端部（＋Ｚ側の端部）であり、第２接点部５８６Ａは、スライド部５８４の縁の一部である。第１接点部５７２Ａは、上下方向（Ｚ方向）において第２接点部５８６Ａと異なる位置にある。第１接点部５７２Ａは、第１バネ部５６０の弾性変形によって、Ｚ方向において移動量を有するように移動可能である。更に、第１接点部５７２Ａは、第２バネ部５８０Ａの弾性変形によっても、Ｚ方向において移動量を有するように移動可能である。また、第２接点部５８６Ａは、第２バネ部５８０Ａの弾性変形によって、Ｚ方向において移動量を有するように移動可能である。
【００７４】
図２０に示されるように、相手側コネクタ８０Ａは、絶縁性材料からなる相手側ハウジング８１０Ａと、導電性材料からなる相手側コンタクト８３０Ａとを備えている。相手側コンタクト８３０Ａの一部は、相手側ハウジング８１０Ａに圧入されており、これにより相手側コンタクト８３０Ａは、相手側ハウジング８１０Ａに保持されている。
【００７５】
相手側コンタクト８３０Ａは、Ｘ方向に沿って延びている。相手側コンタクト８３０Ａは、突出部８４４Ａと、スライド部８５４Ａとを有している。本実施の形態による突出部８４４Ａは、相手側コンタクト８３０Ａの−Ｘ側の端部に形成されている。突出部８４４Ａは、下方に突出している。本実施の形態によるスライド部８５４Ａは、相手側コンタクト８３０Ａの下側の縁の一部である。スライド部８５４Ａは、Ｘ方向に延びている。
【００７６】
突出部８４４Ａは、相手側第１接点部（相手側接点部）８４６Ａを有しており、スライド部８５４Ａは、相手側第２接点部（相手側接点部）８５６Ａ（図２２参照）を有している。相手側第１接点部８４６Ａは、突出部８４４Ａの下端部（−Ｚ側の端部）であり、相手側第２接点部８５６Ａは、スライド部８５４Ａの縁の一部である。本実施の形態による相手側第１接点部８４６Ａ及び相手側第２接点部８５６Ａは、相手側ハウジング８１０Ａに対して相対的に移動しない。
【００７７】
図２０及び図２１に示されるように、コネクタ１０Ａと相手側コネクタ８０Ａとを嵌合する際、コネクタ１０Ａ及び相手側コネクタ８０Ａとは、Ｘ方向に沿って配置される。コネクタ１０を−Ｘ方向に沿って見たとき、コンタクト５００Ａの第１接点部５７２Ａ及び第２接点部５８６Ａを視認可能である。また、第１接点部５７２Ａは、相手側コンタクト８３０Ａの相手側第１接点部８４６Ａと、Ｚ方向において異なる位置にある。このため、コネクタ１０Ａと相手側コネクタ８０Ａとを嵌合する際、第１接点部５７２Ａと相手側第１接点部８４６Ａとは、互いに衝突しない。
【００７８】
図２１に示されるように、コネクタ１０Ａが相手側コネクタ８０Ａと嵌合し始めた嵌合開始状態において、コンタクト５００Ａの第１接点部５７２Ａは、相手側コンタクト８３０Ａと接触していない。一方、相手側コンタクト８３０Ａの相手側第１接点部８４６Ａは、コンタクト５００Ａのスライド部５８４Ａの一部と接触している。嵌合開始状態において、コンタクト５００Ａのスライド部５８４Ａの一部は、相手側コンタクト８３０Ａの相手側第１接点部８４６Ａから接触力（ＦＳ２）を受けている。接触力（ＦＳ２）は、−Ｘ方向に沿いつつ下方に向かっている。
【００７９】
図２１及び図２２から理解されるように、コネクタ１０Ａが嵌合開始状態（図２１参照）から嵌合状態（図２２参照）に移動するまでの間、相手側第１接点部８４６Ａがスライド部５８４Ａ上を移動する。嵌合状態においては、相手側第１接点部８４６Ａが第２接点部５８６Ａに到達して第２接点部５８６Ａと接触する。また、嵌合開始状態と嵌合状態との間の嵌合途中状態において、第１接点部５７２Ａが相手側コンタクト８３０のスライド部８５４Ａと接触する。その後、第１接点部５７２Ａは、スライド部８５４Ａ上を移動する。嵌合状態においては、第１接点部５７２Ａが相手側第２接点部８５６Ａに到達して相手側第２接点部８５６Ａと接触する。即ち、コンタクト５００Ａは、嵌合状態において相手側コンタクト８３０と２点で接触する。
【００８０】
図２３から理解されるように、本実施の形態による第１接点部５７２Ａは、コネクタ１０Ａが嵌合開始状態から嵌合状態に移動するとき、第１バネ部５６０Ａの弾性変形によって−Ｚ方向において移動しつつ、第２バネ部５８０Ａの弾性変形によって＋Ｚ方向において移動する。
【００８１】
詳しくは、嵌合開始状態における第１接点部５７２Ａは、Ｚ方向において初期位置（Ｐ０）に位置している。コネクタ１０Ａが嵌合開始状態から嵌合状態に移動するとき、仮に第１バネ部５６０Ａが弾性変形しない場合、第１接点部５７２Ａは、第２バネ部５８０Ａの弾性変形によって、Ｚ方向において初期位置（Ｐ０）から第１位置（Ｐ１）に移動する。但し、実際には第１バネ部５６０Ａが弾性変形するため、第１接点部５７２Ａは、Ｚ方向において第２位置（Ｐ２）に移動する。以上の説明から理解されるように、第１接点部５７２Ａは、第１バネ部５６０Ａの弾性変形によっては、Ｚ方向において第１位置（Ｐ１）と第２位置（Ｐ２）との間の距離（即ち、第１の距離（Ｄ１））だけ移動する。一方、本実施の形態による第２接点部５８６Ａは、コネクタ１０Ａが嵌合開始状態から嵌合状態に移動するとき、第２バネ部５８０Ａの弾性変形のみによってＺ方向において第２の距離（Ｄ２）だけ移動する。
【００８２】
第１バネ部５６０Ａは、嵌合状態において比較的小さな接触力しか発揮しないが、嵌合時に大きく弾性変形する。一方、第２バネ部５８０Ａは、嵌合状態において比較的大きな接触力を発揮するが、嵌合時に殆ど弾性変形しない。このため、第１の距離（Ｄ１）は、第２の距離（Ｄ２）よりも大きい。第１接点部５７２Ａは、第１の実施の形態と同様に、２種類のバネの弾性変形によって移動するように構成されている。このため、第１接点部５７２Ａと相手側第２接点部８５６Ａとの間の接触信頼性を高めることができる。
【００８３】
図２１及び図２２から理解されるように、コネクタ１０Ａが嵌合開始状態から嵌合状態に移動するまでの間、スライド部５８４Ａの一部は、相手側第１接点部８４６Ａから接触力を受け続けている。嵌合状態においては、スライド部５８４Ａの第２接点部５８６Ａが相手側第１接点部８４６Ａから接触力（ＦＥ２）を受ける。嵌合状態における接触力（ＦＥ２）の方向は、嵌合開始状態における接触力（ＦＳ２）の方向と異なっている。一方、第１接点部５７２Ａは、嵌合状態において、相手側第２接点部８５６Ａから接触力（ＦＥ１）を受ける。
【００８４】
特に、本実施の形態によれば、接触力（ＦＥ１）及び接触力（ＦＥ２）の夫々の方向は、Ｚ方向と直交している。即ち、嵌合状態において、相手側コネクタ８０をコネクタ１０から離脱させるような力が生じない。このため、本実施の形態によれば、第１の実施の形態と同様に、嵌合状態を比較的確実に維持することができる。更に、相手側コネクタ８０Ａをコネクタ１０Ａから容易に抜去することができる。
【００８５】
本実施の形態による相手側コンタクト８３０Ａは、コンタクト５００Ａと異なる形状を有している。但し、相手側コンタクト８３０Ａのうちのコンタクト５００Ａと接触する部位は、第１の実施の形態（図１７参照）と同様に、コンタクト５００Ａのうちの相手側コンタクト８３０Ａと接触する部位と同じ形状及びサイズを有していてもよい。
【符号の説明】
【００８６】
１０，１０Ａ                コネクタ
２００                      第１ハウジング（ハウジング）
２１０                      外壁部
２２０                      側壁部
２２０Ｓ                    内面
２２２                      溝部
２２４                      第１保持部
２３０                      孔部
２３２                      支持部
３００                      第２ハウジング（ハウジング）
３１０                      外壁部
３２０                      凹部
３３０                      凸部
３３０Ｓ                    側面
３３２                      溝部
３３４                      第２保持部
３３６                      中間壁
３４０                      被支持部
４００                      ハウジング
５００，５００Ａ            コンタクト
５１０                      端子部
５２０                      第１被保持部
５３０                      連結部
５４０                      第２被保持部
５５０                      主部
５６０，５６０Ａ            第１バネ部
５６２                      第１傾斜部
５６４                      第２傾斜部
５７０，５７０Ａ            突出部
５７２，５７２′，５７２Ａ  第１接点部（接点部）
５８０，５８０Ａ            第２バネ部
５８２                      第１曲げ部
５８４，５８４Ａ            スライド部
５８６，５８６′，５８６Ａ  第２接点部（接点部）
５８８                      第２曲げ部
５９０Ａ                    移動部
６００                      固定部材
８０，８０Ａ                相手側コネクタ
８２                        受容部
８１０，８１０Ａ            相手側ハウジング
８１２                      外壁部
８１４                      側壁部
８１４Ｓ                    内面
８１６                      溝部
８１８                      第１保持部
８２０                      仕切り壁
８２２                      スリット
８２４                      第２保持部
８２６                      分離壁
８３０，８３０Ａ            相手側コンタクト
８３２                      端子部
８３４                      第１被保持部
８３６                      連結部
８３８                      第２被保持部
８４０                      主部
８４２                      第１バネ部
８４４，８４４Ａ            突出部
８４６，８４６′，８４６Ａ  相手側第１接点部（相手側接点部）
８５０                      第２バネ部
８５２                      第１曲げ部
８５４，８５４Ａ            スライド部
８５６，８５６′，８５６Ａ  相手側第２接点部（相手側接点部）
８５８                      第２曲げ部
【図１】
2015035300.tif 000003
【図２】
2015035300.tif 000004
【図３】
2015035300.tif 000005
【図４】
2015035300.tif 000006
【図５】
2015035300.tif 000007
【図６】
2015035300.tif 000008
【図７】
2015035300.tif 000009
【図８】
2015035300.tif 000010
【図９】
2015035300.tif 000011
【図１０】
2015035300.tif 000012
【図１１】
2015035300.tif 000013
【図１２】
2015035300.tif 000014
【図１３】
2015035300.tif 000015
【図１４】
2015035300.tif 000016
【図１５】
2015035300.tif 000017
【図１６】
2015035300.tif 000018
【図１７】
2015035300.tif 000019
【図１８】
2015035300.tif 000020
【図１９】
2015035300.tif 000021
【図２０】
2015035300.tif 000022
【図２１】
2015035300.tif 000023
【図２２】
2015035300.tif 000024
【図２３】
2015035300.tif 000025
【図２４】
2015035300.tif 000026
【図２５】
2015035300.tif 000027